(57)【特許請求の範囲】
【請求項１】
ドア枠材に取り付けられたときに、中空の矩形状となる頭部下面に対して垂直に形成された２つの両鉤状脚部を有するスプリング性戸当たり材において、ドア枠材に取り付けられていない状態では頭部下面中央部が開口した八の字状となっており、頭部の片側側面に嵌合部を有しているスプリング性戸当たり材。
【請求項２】
ドア枠材に取り付けられたときに、中空の矩形状となる頭部下面に対して垂直に形成された２つの両鉤状脚部を有するスプリング性戸当たり材において、ドア枠材に取り付けられていない状態では頭部下面中央部が開口した八の字状となっており、頭部の片側側面にクッション性凸部を有しているスプリング性戸当たり材。
【請求項３】
前記クッション性凸部は、軟質樹脂にて形成したことを特徴とする請求項２記載のスプリング性戸当たり材。
【請求項４】
前記両鉤状脚部の先端部は、内側に向かって屈曲し、前記屈曲内角は鈍角であることを特徴とする請求項１または請求項２記載のスプリング性戸当たり材。
【請求項５】
前記頭部の上面と左右の側面との屈曲部の内壁が、肉厚の一部を切り欠いたスリット溝を有することを特徴とする請求項１または請求項２記載のスプリング性戸当たり材。
【請求項６】
前記両鉤状脚部の外側に鋸歯状突起を配設したことを特徴とする請求項１請求項２記載のスプリング性戸当たり材。
【請求項７】
前記頭部と嵌合部と鉤状脚部は、樹脂で一体成形したことを特徴とする請求項１記載のスプリング性戸当たり材。
【請求項８】
前記頭部とクッション性凸部と鉤状脚部は、樹脂で一体成形したことを特徴とする請求項２記載のスプリング性戸当たり材。
【発明の詳細な説明】
【０００１】
【発明の属する技術分野】
本発明は、ドア枠材に取り付けられる戸当たり材に関するものであり、詳しくはドア枠材との組立作業を簡易かつ迅速に行うためのスプリング性戸当たり材に関する。
【０００２】
【従来の技術】
従来、ドア枠材に戸当たり部を設ける技術としては、図５に示すような戸当たり材９０（実公昭６３−１５９０８１号）を用いる方式があった。この戸当たり材９０は合成樹脂にて形成され、鋸歯状脚部９１を二条の細長凹溝９２が設けられたドア枠材本体９３に嵌入して用いることにより、ドア枠材本体を切削加工して戸当たり凸部を形成する方式や、戸当たり部材となるべき細木をドア枠材本体に釘止めする方式に比べて、ドア枠を容易にかつ寸法精度高く施工できるものである。
【０００３】
【発明が解決しようとする課題】
しかしながら、木材および木質系材料にて形成されたドア枠材本体に二条の細長凹溝を精度良く形成することは困難であり、そのため、しばしばこの二条の細長凹溝と戸当たり材における脚部間の幅とが一致せず、ドア枠材本体に戸当たり材を組み立てる施工作業が非能率的であった。また、戸当たり材を施工後、長期間使用するにつれてドア枠材本体の二条の細長凹溝の寸法に狂いが生じるとともに、細長凹溝が劣化するため、戸当たり材の抜け落ち、ぐらつきの原因となった。
【０００４】
そこで、本発明は上記問題点に鑑みて提案されたもので、その目的とするところは、ドア枠材の溝切り作業が簡略化でき、ドア枠材との組立施工作業効率を向上させるともに、長期間の使用においても強固に固定し得るスプリング性戸当たり材を提供することを課題とする。
【課題を解決するための手段】
【０００５】
上記課題を解決するため、本発明は次のように構成したことを特徴とする。
【０００６】
まず、本願の請求項１に記載の発明は、ドア枠材に取り付けられたときに、中空の矩形状となる頭部下面に対して垂直に形成された２つの両鉤状脚部を有するスプリング性戸当たり材において、ドア枠材に取り付けられていない状態では頭部下面中央部が開口した八の字状となっており、頭部の片側側面に嵌合部を有していることを特徴とする。
【０００７】
次に、請求項２に記載の発明は、ドア枠材に取り付けられたときに、中空の矩形状となる頭部下面に対して垂直に形成された２つの両鉤状脚部を有するスプリング性戸当たり材において、ドア枠材に取り付けられていない状態では頭部下面中央部が開口した八の字状となっており、頭部の片側側面にクッション性凸部を有していることを特徴とする。
【０００８】
次に、請求項３に記載の発明は、上記請求項２に記載のスプリング性戸当たり材において、クッション性凸部は、軟質樹脂にて形成したことを特徴とする。
【０００９】
次に、請求項４に記載の発明は、上記請求項１または請求項２記載のスプリング性戸当たり材において、両鉤状脚部の先端部は、内側に向かって屈曲し、前記屈曲内角は鈍角であることを特徴とする。
【００１０】
次に請求項５に記載の発明は、上記請求項１または請求項２記載のスプリング性戸当たり材において、頭部の上面と左右の側面との屈曲部の内壁が、肉厚の一部を切り欠いたスリット溝を有することを特徴とする。
【００１１】
次に、請求項６に記載の発明は、上記請求項１または請求項２記載のスプリング性戸当たり材において、両鉤状脚部の外側に鋸歯状突起を配設したことを特徴とする。
【００１２】
次に、請求項７に記載の発明は、上記請求項１に記載のスプリング性戸当たり材において、頭部と嵌合部と鉤状脚部は、樹脂で一体成形したことを特徴とする。
【００１３】
次に、請求項８に記載の発明は、上記請求項２に記載のスプリング性戸当たり材において、頭部とクッション性凸部と鉤状脚部は、樹脂で一体成形したことを特徴とする。
【００１４】
【発明の実施の形態】
本発明の実施の形態について、図面に基づいて説明する。図１から図４において、１（５１）はスプリング性戸当たり材、２（５２）は頭部、３（５３）は鉤状脚部、３ａ（５３）は鋸歯状突起、４は嵌合部、５（５５）は開口部、６（５６）は底辺、７（５７）はスリット溝、８（５８）は先端部、５９はクッション性凸部である。図１は、スプリング性戸当たり材における第一の実施例における要部斜視図を示し、図２はその断面図を示している。さらに、図２はこのスプリング性戸当たり材のドア枠材への取付形態をドア枠材と共に断面図にて示している。
【００１５】
スプリング性戸当たり材１は、底部略中央が開口した矩形状中空の頭部２と、この頭部２の片側側面に具備した嵌合部４と、頭部２の開口部５を挟んだ左右底辺６に対して垂直に形成した２つの鉤状脚部３とから構成している。
【００１６】
本発明による頭部２と鉤状脚部３と嵌合部４について、詳細に説明する。頭部２は、底部略中央が開口した矩形状中空であり、かつ八の字状に開口した形状にて形成し、さらに、両上端屈曲部の内壁に、肉厚の一部を切り欠いたスリット溝７を有していることから、スプリング性を持って左右に自在に開閉することを容易にしている。
【００１７】
したがって、このスプリング性戸当たり材１をドア枠材２１へ取り付ける際は、頭部２の両側面から押圧し、開口部５を閉じながら鉤状脚部３をドア枠材２１の凹溝２２に挿入し、挿入後に押圧力を解放すると、頭部２に再び開口しようとする反発力が作用するため、しっかり固定される。
【００１８】
また、ドア枠材２１における凹溝２２の幅の、寸法誤差や長期使用による寸法の狂いを気にすることなく、さらに、ドア枠材２１への敷設がより簡便な一条の凹溝２２の場合においても強固に固定することを可能にしている。したがって、図２に示すように、ドア枠材２１に取り付けたスプリング性戸当たり材１の形状は、ドア枠材２１に敷設した凹溝２２の幅に規整された矩形状を呈する。
【００１９】
次に、鉤状脚部３について説明する。鉤状脚部３は、頭部２の開口部５を挟んだ左右底辺に対して垂直に、かつその先端部８が開口部５に向かって鈍角の角度をもって屈曲させて形成している。したがって、頭部２の両側面を押圧して開口部５を閉じると左右底辺６に形成した両鉤状脚部３が接近し、両先端部８の間の距離がドア枠材２１に敷設された凹溝２２における幅寸法より小さくなった時点で、凹溝２２への挿入を開始すると、先端部８が鉤状脚部３全体の挿入を促し、取り付け作業を容易にする。
【００２０】
なお、両鉤状脚部３の外側に配設した鋸歯状突起３が、スプリング性戸当たり材１をドア枠材２１に装着した際に、ぐらつきや脱落を防止する機能を果たす。
【００２１】
次に嵌合部４について説明する。嵌合部４は、頭部２の片側側面に配設され、ドア材（図示せず）が接したときの衝撃を緩衝する部材、例えば、軟質材料あるいは繊維材料にて形成された緩衝消音材（図示せず）を装着可能とする構造であればよい。このため、図１・図２に示す第一の実施例の他に、取り付ける消音材に応じて図３に示した第二の実施例を適応することも可能である。すなわち、第一の実施例における嵌合部４は、雄型の嵌合部を有する緩衝消音材を装着することが可能であり、一方、第二の実施例では雌型の嵌合部を有する緩衝消音材を装着することが可能となる。
【００２２】
さらに、上述した頭部２と鉤状脚部３と嵌合部４は、樹脂にて一体成形することでスプリング性戸当たり材１の加工を容易にしている。
【００２３】
図４は、本発明のスプリング性戸当たり材５１における第三の実施例であるドア枠材への取付形態をドア枠材と共に断面図にて示している。スプリング性戸当たり材５１は、底部略中央が開口した矩形状中空の頭部５２と頭部５２の片側側面に具備したクッション性凸部５９と、頭部５２の開口部５５を挟んだ左右底辺５６に対して垂直に形成した２つの鉤状脚部５３とから構成している。
【００２４】
本発明による頭部５２と鉤状脚部５３に対する詳細な説明は、上述した本発明による請求項１記載のスプリング性戸当たり材１における頭部２と鉤状脚部３の説明と同様であり、したがって、同等の効果を奏する。
【００２５】
次に、クッション性凸部５９について説明する。クッション性凸部５９は、頭部５２の片側側面に配設され、空隙もしくは充填構造とし、ドア材が接したときの衝撃を緩衝する軟質樹脂にて形成している。
【００２６】
また、上述した頭部５２と鉤状脚部５３とクッション性凸部５９は、樹脂にて一体成形することでスプリング性戸当たり材５１の加工を容易にしている。
【００２７】
【発明の効果】
上述したように、本発明によるスプリング性戸当たり材によれば、頭部を底部略中央が開口した矩形状中空、かつ八の字状に開口した形状を有し、さらに、両上端屈曲部の内壁に、肉厚の一部を切り欠いたスリット溝を設けたことにより、スプリング性を持って左右に自由に開口可能となる。したがって、両側面を押圧しながらスプリング性戸当たり材をドア枠材へ挿入することにより、ドア枠材の溝幅を気にすることなく容易に取り付けられ、さらにその反発力によって強固に固定できる。また、鉤状脚部の先端部を開口部に向かって鈍角の角度をもって屈曲させることによって、ドア枠材に敷設された凹溝への挿入を促し、スプリング性戸当たり材の取り付け作業を容易に行うことが可能になる。さらに、両鉤状脚部の外側に鋸歯状突起を配設することによって、ぐらつきや脱落を防止する効果が大きくなる。このように、本発明によるスプリング性戸当たり材は、ドア枠材の溝切り作業を簡略化でき、ドア枠材との組み立て施工における作業効率を向上させるとともに、長期間の使用においても強固な固定力を保持する。
【図面の簡単な説明】
【図１】  本発明における第一の実施例であるスプリング性戸当たり材の要部斜視図。
【図２】  本発明における第一の実施例の断面図。
（ａ）図１の断面図。
（ｂ）ドア枠材に装着したときの断面図。
【図３】  本発明における第二の実施例であるスプリング性戸当たり材の断面図。
【図４】  本発明における第三の実施例であるスプリング性戸当たり材の断面図。
【図５】  従来技術による戸当たり材の要部斜視図。
【符号の説明】
１、５１  スプリング性戸当たり材
２、５２  頭部
３、５３  鉤状脚部
３ａ、５３ａ  鋸歯状突起
４  嵌合部
５、５５  開口部
６、５６  底辺
７、５７  スリット溝
８、５８  先端部
５９  クッション性凸部
２１  ドア枠材
２２  凹溝
【図１】
0003850572.tif 000002
【図２】
0003850572.tif 000003
【図３】
0003850572.tif 000004
【図４】
0003850572.tif 000005
【図５】
0003850572.tif 000006